【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
遊技球が打ち出される遊技領域を有する遊技盤と、
前記遊技盤の正面側に設けられ、前記遊技領域を視認可能にする透明板を有する前枠部材と、
前記前枠部材に設けられ、前記遊技盤面上において前記透明板の表面近傍に存在する物体までの距離を測定する第１の距離センサと、
前記前枠部材において前記第１の距離センサとは異なる位置に設けられ、前記遊技盤面上において前記透明板の表面近傍に存在する物体までの距離を測定する第２の距離センサと、
前記第１および第２の距離センサを制御するセンサ制御手段と、
前記第１および第２の距離センサの測定結果に基づいて前記遊技盤面上における物体の位置を検出する位置検出手段と、
前記位置検出手段により前記遊技盤面上の所定領域において物体が検知されることを条件として不正行為を検出する不正検出手段と、
を備え、
前記センサ制御手段は、所定時間毎に前記第１の距離センサと前記第２の距離センサとを切り替えて距離の測定動作を行わせることを特徴とする遊技機。
【請求項２】
前記第１および第２の距離センサは、所定周波数の超音波を送受信することにより、前記透明板の表面近傍に存在する物体までの距離を測定することを特徴とする請求項１記載の遊技機。
【請求項３】
遊技球が打ち出される遊技領域を有する遊技盤と、
前記遊技盤の正面側に設けられ、前記遊技領域を視認可能にする透明板を有する前枠部材と、
前記前枠部材に設けられ、前記透明板の表面近傍に所定周波数の超音波を送信することにより前記透明板の表面近傍に存在する物体までの距離を測定する第１の距離センサと、
前記前枠部材において前記第１の距離センサとは異なる位置に設けられ、前記透明板の表面近傍に前記所定周波数とは異なる周波数の超音波を送信することにより前記透明板の表面近傍に存在する物体までの距離を測定する第２の距離センサと、
前記第１および第２の距離センサを制御するセンサ制御手段と、
前記第１および第２の距離センサの測定結果に基づいて前記遊技盤面上における物体の位置を検出する位置検出手段と、
前記位置検出手段により前記遊技盤面上の所定領域において物体が検知されることを条件として不正行為を検出する不正検出手段と、
を備えることを特徴とする遊技機。
【請求項４】
前記遊技領域において各種入賞口を更に備え、
前記不正検出手段は、前記位置検出手段が前記遊技盤面上の所定領域において物体を検知している状態において、前記入賞口への所定時間内での入賞個数が所定個数以上であることを条件として不正行為を検出することを特徴とする請求項１乃至３のいずれかに記載の遊技機。
【請求項５】
前記不正検出手段は、前記位置検出手段が前記遊技盤面上の所定領域において物体を検知している状態が所定時間内に所定回数以上検出されることを条件として不正行為を検出することを特徴とする請求項１乃至３のいずれかに記載の遊技機。
【請求項６】
前記透明板の周縁部に沿って巻き回したコイルをさらに備え、
前記不正検出手段は、前記遊技盤面上の所定領域において物体が検知されており、かつ、前記コイルが誘導起電力を発生している場合に不正行為であることを検出することを特徴とする請求項１乃至５のいずれかに記載の遊技機。
【請求項７】
遊技球が打ち出される遊技領域を有する遊技盤と、
前記遊技盤の正面側に設けられ、前記遊技領域を視認可能な透明板を有する前枠部材と、
前記前枠部材に設けられ、前記透明板の周縁部に沿って巻き回したコイルと、
前記前枠部材に設けられ、前記遊技盤面上において前記透明板の表面近傍に存在する物体を検知するセンサと、
前記コイルが誘導起電力を発生し、かつ、前記センサが前記透明板の表面近傍において物体を検知している場合に、不正行為を検出する不正検出手段と、
を備えることを特徴とする遊技機。
【請求項８】
前記遊技領域において各種入賞口を更に備え、
前記不正検出手段は、前記コイルが誘導起電力を発生し、かつ、前記センサが前記透明板の表面近傍において物体を検知している状態において、前記入賞口への所定時間内での入賞個数が所定個数以上であることを条件として不正行為を検出することを特徴とする請求項７記載の遊技機。
【請求項９】
前記不正検出手段は、前記コイルが誘導起電力を発生し、かつ、前記センサが前記透明板の表面近傍において物体を検知している状態が所定時間内に所定回数以上検出されることを条件として不正行為を検出することを特徴とする請求項７記載の遊技機。
【請求項１０】
前記センサは、前記遊技盤面上において前記透明板の表面近傍に存在する物体までの距離を測定する複数の距離センサから成り、
前記複数の距離センサによる測定結果に基づいて前記遊技盤面上における物体の位置を検出する位置検出手段をさらに備えており、
前記不正検出手段は、前記コイルが誘導起電力を発生し、かつ、前記位置検出手段が前記遊技盤面上の所定の領域に物体が位置していることを検出している場合に、不正行為を検出することを特徴とする請求項７乃至９のいずれかに記載の遊技機。
【請求項１１】
遊技の進行を制御するメイン制御手段をさらに備え、
前記メイン制御手段は、少なくとも前記コイルが誘導起電力を発生している場合に外部通知のためのコマンドを生成して外部出力を行うことを特徴とする請求項６乃至１０のいずれかに記載の遊技機。
【請求項１２】
遊技の進行に伴って各種の演出処理を実行する演出制御手段をさらに備え、
前記演出制御手段は、前記不正検出手段が不正行為を検出していない場合に、前記位置検出手段によって検出される前記遊技盤面上での物体の位置に対応した演出を実行することを特徴とする請求項１，２，３，４，５，６又は１０記載の遊技機。
【手続補正２】
【補正対象書類名】明細書
【補正対象項目名】０００９
【補正方法】変更
【補正の内容】
【０００９】
上記目的を達成するため、請求項１にかかる発明は、遊技機であって、遊技球が打ち出される遊技領域を有する遊技盤と、前記遊技盤の正面側に設けられ、前記遊技領域を視認可能にする透明板を有する前枠部材と、前記前枠部材に設けられ、前記遊技盤面上において前記透明板の表面近傍に存在する物体までの距離を測定する第１の距離センサと、前記前枠部材において前記第１の距離センサとは異なる位置に設けられ、前記遊技盤面上において前記透明板の表面近傍に存在する物体までの距離を測定する第２の距離センサと、前記第１および第２の距離センサを制御するセンサ制御手段と、前記第１および第２の距離センサの測定結果に基づいて前記遊技盤面上における物体の位置を検出する位置検出手段と、前記位置検出手段により前記遊技盤面上の所定領域において物体が検知されることを条件として不正行為を検出する不正検出手段とを備える構成であり、前記センサ制御手段は、所定時間毎に前記第１の距離センサと前記第２の距離センサとを切り替えて距離の測定動作を行わせることを特徴としている。
【手続補正３】
【補正対象書類名】明細書
【補正対象項目名】００１１
【補正方法】変更
【補正の内容】
【００１１】
また請求項２にかかる発明は、請求項１記載の遊技機において、前記第１および第２の距離センサは、所定周波数の超音波を送受信することにより、前記透明板の表面近傍に存在する物体までの距離を測定することを特徴としている。
【手続補正４】
【補正対象書類名】明細書
【補正対象項目名】００１２
【補正方法】変更
【補正の内容】
【００１２】
かかる構成によれば、第１の距離センサと第２の距離センサのそれぞれが所定周波数の超音波を送受信するように構成しつつも、透明板の表面近傍に存在する物体までの距離を正確に測定できる。
【手続補正５】
【補正対象書類名】明細書
【補正対象項目名】００１３
【補正方法】変更
【補正の内容】
【００１３】
また請求項３にかかる発明は、遊技機であって、遊技球が打ち出される遊技領域を有する遊技盤と、前記遊技盤の正面側に設けられ、前記遊技領域を視認可能にする透明板を有する前枠部材と、前記前枠部材に設けられ、前記透明板の表面近傍に所定周波数の超音波を送信することにより前記透明板の表面近傍に存在する物体までの距離を測定する第１の距離センサと、前記前枠部材において前記第１の距離センサとは異なる位置に設けられ、前記透明板の表面近傍に前記所定周波数とは異なる周波数の超音波を送信することにより前記透明板の表面近傍に存在する物体までの距離を測定する第２の距離センサと、前記第１および第２の距離センサを制御するセンサ制御手段と、前記第１および第２の距離センサの測定結果に基づいて前記遊技盤面上における物体の位置を検出する位置検出手段と、前記位置検出手段により前記遊技盤面上の所定領域において物体が検知されることを条件として不正行為を検出する不正検出手段とを備える構成である。
【手続補正６】
【補正対象書類名】明細書
【補正対象項目名】００１５
【補正方法】変更
【補正の内容】
【００１５】
また請求項４にかかる発明は、請求項１乃至３のいずれかに記載の遊技機において、前記遊技領域において各種入賞口を更に備え、前記不正検出手段は、前記位置検出手段が前記遊技盤面上の所定領域において物体を検知している状態において、前記入賞口への所定時間内での入賞個数が所定個数以上であることを条件として不正行為を検出することを特徴としている。
【手続補正７】
【補正対象書類名】明細書
【補正対象項目名】００１７
【補正方法】変更
【補正の内容】
【００１７】
また請求項５にかかる発明は、請求項１乃至３のいずれかに記載の遊技機において、前記不正検出手段は、前記位置検出手段が前記遊技盤面上の所定領域において物体を検知している状態が所定時間内に所定回数以上検出されることを条件として不正行為を検出することを特徴としている。
また請求項６にかかる発明は、請求項１乃至５のいずれかに記載の遊技機において、前記透明板の周縁部に沿って巻き回したコイルをさらに備え、前記不正検出手段は、前記遊技盤面上の所定領域において物体が検知されており、かつ、前記コイルが誘導起電力を発生している場合に不正行為であることを検出することを特徴としている。
また請求項７にかかる発明は、遊技機であって、遊技球が打ち出される遊技領域を有する遊技盤と、前記遊技盤の正面側に設けられ、前記遊技領域を視認可能な透明板を有する前枠部材と、前記前枠部材に設けられ、前記透明板の周縁部に沿って巻き回したコイルと、前記前枠部材に設けられ、前記遊技盤面上において前記透明板の表面近傍に存在する物体を検知するセンサと、前記コイルが誘導起電力を発生し、かつ、前記センサが前記透明板の表面近傍において物体を検知している場合に、不正行為を検出する不正検出手段と、を備えることを特徴としている。
また請求項８にかかる発明は、請求項７記載の遊技機において、前記遊技領域において各種入賞口を更に備え、前記不正検出手段は、前記コイルが誘導起電力を発生し、かつ、前記センサが前記透明板の表面近傍において物体を検知している状態において、前記入賞口への所定時間内での入賞個数が所定個数以上であることを条件として不正行為を検出することを特徴としている。
また請求項９にかかる発明は、請求項７記載の遊技機において、前記不正検出手段は、前記コイルが誘導起電力を発生し、かつ、前記センサが前記透明板の表面近傍において物体を検知している状態が所定時間内に所定回数以上検出されることを条件として不正行為を検出することを特徴としている。
また請求項１０にかかる発明は、請求項７乃至９のいずれかに記載の遊技機において、前記センサは、前記遊技盤面上において前記透明板の表面近傍に存在する物体までの距離を測定する複数の距離センサから成り、前記複数の距離センサによる測定結果に基づいて前記遊技盤面上における物体の位置を検出する位置検出手段をさらに備えており、前記不正検出手段は、前記コイルが誘導起電力を発生し、かつ、前記位置検出手段が前記遊技盤面上の所定の領域に物体が位置していることを検出している場合に、不正行為を検出することを特徴としている。
【手続補正８】
【補正対象書類名】明細書
【補正対象項目名】００１８
【補正方法】変更
【補正の内容】
【００１８】
また請求項１１にかかる発明は、請求項６乃至１０のいずれかに記載の遊技機において、遊技の進行を制御するメイン制御手段をさらに備え、前記メイン制御手段は、少なくとも前記コイルが誘導起電力を発生している場合に外部通知のためのコマンドを生成して外部出力を行うことを特徴としている。
また請求項１２にかかる発明は、請求項１，２，３，４，５，６又は１０記載の遊技機において、遊技の進行に伴って各種の演出処理を実行する演出制御手段をさらに備え、前記演出制御手段は、前記不正検出手段が不正行為を検出していない場合に、前記位置検出手段によって検出される前記遊技盤面上での物体の位置に対応した演出を実行することを特徴としている。
かかる構成によれば、例えば透明板の表面近傍における遊技者の動作に合わせて多彩な演出を行うことが可能になり、遊技機の興趣性をより一層高めることができる。
【手続補正９】
【補正対象書類名】明細書
【補正対象項目名】００１９
【補正方法】変更
【補正の内容】
【００１９】
本発明にかかる遊技機によれば、磁石による不正行為を検出する際、安定して不正行為を検知できるようになり、しかも誤検知が生じる可能性が低減する。例えば、前枠部材に設けた第１の距離センサおよび第２の距離センサは遊技領域の視認性を低下させることがない。また第１の距離センサおよび第２の距離センサのそれぞれにより、透明板の表面近傍に存在する物体までの距離を正確に測定することができるようになり、遊技盤面上における物体の位置を高精度に検出することが可能になる。